(57)【要約】      （修正有）【課題】シートによる着用者の肌への刺激を低減し、肌トラブルを抑制することができる着用物品を提供する。【解決手段】おむつ１は、内外面シート２６，２７と、これら内外面シート２６，２７の間に位置する吸液構造体３０と、内面シート２６の身体側に位置するトップシート６０と、さらに身体側に位置する一対の漏れバリアカフ７０とを含む。漏れバリアカフ７０は、第１接合部８１を介して外面シート２７に接合されるカフ外側縁７４と、カフ弾性体７６が取り付けられトップシート６０から離間可能なカフ内側縁７３とを含む。トップシート６０は、縦方向Ｙに延びる複数の凸条と、これら凸条の横方向Ｘ間に形成される凹条とを有している。【選択図】図２
0003153853.tif 000002
【実用新案登録請求の範囲】
【請求項１】
縦方向および横方向と、身体側およびその反対側と、前ウエスト域、後ウエスト域および前記前後ウエスト域間に位置するクロッチ域を有するシャーシと、少なくとも前記クロッチ域に位置する吸液構造体と、前記シャーシの前記身体側に位置しシャーシ両側縁の縦方向に延びる一対の漏れバリアカフとを含み、前記漏れバリアカフは、第１接合部を介して前記シャーシ両側縁に接合されるカフ外側縁と、前記縦方向に伸縮可能に弾性化され前記シャーシから離間可能なカフ内側縁とを含む着用物品において、
前記シャーシの身体側には、前記縦方向に延びる複数の凸条と、これら凸条の前記横方向間に形成される凹条とを有するトップシートが形成され、
前記カフ内側縁は、その前後端縁側を第２接合部を介して前記シャーシに接合されることを特徴とする前記着用物品。
【請求項２】
前記トップシートは、一対の前記漏れバリアカフの前記横方向間に位置する請求項１記載の着用物品。
【請求項３】
前記トップシートは、一方の前記カフ内側縁から他方の前記カフ内側縁までの前記横方向離間寸法と等しい前記横方向における長さ寸法を有する請求項１または２記載の着用物品。
【請求項４】
前記吸液構造体は、吸液性芯材を含む吸収体と、これを覆う被覆シートとを含み、厚さ寸法が２．０〜３．０ｍｍである請求項１〜３のいずれかに記載の着用物品。
【請求項５】
前記吸収体は、フラッフパルプを主原料とする上下層と、前記上下層の間に位置し高吸収性ポリマー粒子を主原料とする中間層とを含む請求項１〜４のいずれかに記載の着用物品。
【請求項６】
前記シャーシは、前記身体側に位置する内面シートと、前記反対側に位置する外面シートとを含み、前記内外面シートの間に前記吸液構造体が形成されるとともに、前記吸液構造体と前記外面シートとの間に、漏れ防止シートが取り付けられる請求項１〜５のいずれかに記載の着用物品。
【考案の詳細な説明】
【技術分野】
【０００１】
この発明は、着用物品に関し、さらに詳しくは使い捨てのおむつ、排泄トレーニングパンツ、失禁ブリーフ等に関する。
【背景技術】
【０００２】
従来、使い捨てのおむつにおいて、着用者の身体側に位置する表面シートと、その反対側に位置する裏面シートと、これら表裏面シートの間に取り付けられた体液吸収性コアと、表面シートのさらに身体側に位置するバリアカフとを有するものが公知である。例えば、特開２００３−３８５５９号公報（特許文献１）によれば、透液性の表面シートと、不透液性の裏面シートとを備え、これらシートの間に体液吸収性コアが介在されている。表面シートには、おむつの両側部にあって、おむつの長さ方向へ延びるバリアカフが取り付けられている。上記表面シートとして、例えば、繊維不織布等を用いることができる。
【先行技術文献】
【特許文献】
【０００３】
【特許文献１】特開２００３−３８５５９号公報（ＪＰ  ２００３−３８５５９  Ａ）
【考案の概要】
【考案が解決しようとする課題】
【０００４】
表面シートは、着用者の肌に直接接触するから、肌への刺激が少ないことが望ましい。しかし、表面シートが広い範囲で着用者の肌に接触することによって、必然的に刺激も多くなり、着用者の肌トラブルを誘発する可能性があった。
【０００５】
この考案では、シートによる着用者の肌への刺激を低減し、肌トラブルを抑制することができる着用物品を提供することを課題とする。
【課題を解決するための手段】
【０００６】
この考案は、縦方向および横方向と、身体側およびその反対側と、前ウエスト域、後ウエスト域および前記前後ウエスト域間に位置するクロッチ域を有するシャーシと、少なくとも前記クロッチ域に位置する吸液構造体と、前記シャーシの前記身体側に位置しシャーシ両側縁の縦方向に延びる一対の漏れバリアカフとを含み、前記漏れバリアカフは、第１接合部を介して前記シャーシ両側縁に接合されるカフ外側縁と、前記縦方向に伸縮可能に弾性化され前記シャーシから離間可能なカフ内側縁とを含む着用物品の改良に関わる。
【０００７】
この考案は、前記着用物品において、前記シャーシの身体側には、前記縦方向に延びる複数の凸条と、これら凸条の前記横方向間に形成される凹条とを有するトップシートが形成され、
前記カフ内側縁は、その前後端縁側を第２接合部を介して前記シャーシに接合されることを特徴とする。
【０００８】
この考案の好ましい実施態様のひとつとして、前記トップシートは、一対の前記漏れバリアカフの前記横方向間に位置する。
好ましい他の実施態様のひとつとして、前記トップシートは、一方の前記カフ内側縁から他方の前記カフ内側縁までの前記横方向離間寸法と等しい前記横方向における長さ寸法を有する。
好ましい他の実施態様のひとつとして、前記吸液構造体は、吸液性芯材を含む吸収体と、これを覆う被覆シートとを含み、厚さ寸法が２．０〜３．０ｍｍである。
好ましい他の実施態様のひとつとして、前記吸収体は、フラッフパルプを主原料とする上下層と、前記上下層の間に位置し高吸収性ポリマー粒子を主原料とする中間層とを含む。
好ましい他の実施態様のひとつとして、前記シャーシは、前記身体側に位置する内面シートと、前記反対側に位置する外面シートとを含み、前記内外面シートの間に前記吸液構造体が形成されるとともに、前記吸液構造体と前記外面シートとの間に、漏れ防止シートが取り付けられる。
【考案の効果】
【０００９】
この考案によれば、着用者の身体と直接接触するトップシートに、複数の凸条と凹条とを形成することとしたので、着用者の肌に接触するトップシートの接触面積を減少させることができ、肌トラブルを低減することが可能となる。
【図面の簡単な説明】
【００１０】
【図１】おむつの斜視図。
【図２】図１のおむつの展開平面図。
【図３】図２の分解組立図。
【図４】図２のＩＶ−ＩＶ線断概要面図。
【図５】図２のＶ−Ｖ線断面概要図。
【図６】トップシートの一部拡大概要図。
【考案を実施するための形態】
【００１１】
図１〜６は、この出願に係る考案であって、使い捨ておむつを例にした一実施態様である。図１は、おむつ１のウエスト開口およびレッグ開口を環状に保った状態の斜視図、図２は図１の展開平面図であっておむつ１の各弾性体をその収縮力に抗して伸長させ、おむつ１を平面に保った状態を示しその一部を破断させた図、図３は図２の分解組立図、図４は図２のＩＶ−ＩＶ線断面概要図、図５は図２のＶ−Ｖ線断面概要図、図６はトップシート６０の一部拡大概要図である。図２においては接合手段を省略し、その他の図においても一部を除いて接合手段を省略している。図４および図５では、カフ弾性体７６の収縮力が作用している状態を示している。なお、以下の説明において、「身体側」、「着衣側」とは、着用物品の着用時における位置を意味する。
おむつ１は、縦方向Ｙおよび横方向Ｘと、縦方向Ｙの長さ寸法を二等分する仮想横中心線Ｑ−Ｑと、横方向Ｘの長さ寸法を二等分する仮想縦中心線Ｐ−Ｐとを有し、仮想縦中心線Ｐ−Ｐに対してほぼ対称に形成されている。対称に形成された構成要素については、図面において一部その符号を省略している。
【００１２】
おむつ１は、身体側およびその反対側と、前ウエスト域１１、後ウエスト域１２および前記前後ウエスト域１１，１２間に位置するクロッチ域１３を有するシャーシ２０を含む。シャーシ２０は、横方向Ｘに延びるシャーシ前後端縁２１，２２と、縦方向Ｙに延びるシャーシ両側縁とを有し、シャーシ両側縁は、前ウエスト域に位置するシャーシ前側縁２３と、後ウエスト域に位置するシャーシ後側縁２４と、クロッチ域に位置するクロッチ側縁２５とによって画成されている。シャーシ前側縁２３からシャーシ後側縁２４までの縦方向Ｙの長さ寸法は、約４１０ｍｍとされている。一方のシャーシ前後側縁２３，２４から他方のシャーシ前後側縁２３，２４までの横方向Ｘの長さ寸法は、約３０５ｍｍとされている。ただし、これら寸法は、各弾性体をその収縮力に抗して伸長させた状態で測定される。前記シャーシ前後側縁２３，２４が互いに接合されることによって、上記シャーシ前後端縁２１，２２でウエスト開口が形成され、クロッチ側縁２５でレッグ開口が形成される。
【００１３】
シャーシ２０は、身体側に位置する内面シート２６と、身体側の反対側である着衣側に位置する外面シート２７とを含む。内外面シート２６，２７の間には、吸液構造体３０および漏れ防止シート４０が形成されている。
吸液構造体３０は、吸液性芯材をティッシュペーパ等で覆った吸収体３１と、吸収体３１を覆う液透過性の被覆シート３２とを含み、クロッチ域１３から前後ウエスト域１１，１２へと延出して形成されている。吸液性芯材の厚さ方向の上下層は、フラッフパルプを主原料とし、これら上下層の間における中間層は、高吸収性ポリマー粒子を主原料としている。上記上下層においては、フラッフパルプの質量を約１８５〜２００ｇ／ｍ２とし、この実施形態では約１８７ｇ／ｍ２としている。中間層においては、高吸収性ポリマー粒子の質量を約１７０〜１８０ｇ／ｍ２とし、この実施形態では約１７２ｇ／ｍ２としている。このような構成にすることによって、効率的に尿等の体液を吸収することができ、リウェットを抑制することができ、吸収体３１の厚さを薄くすることができる。
【００１４】
吸収体３１の厚さ寸法を約２．０〜３．０ｍｍ、好ましくは約２．５ｍｍとしている。測定に用いる吸収体３１は、クロッチ域１３に位置するとともに、梱包等による折り畳みによって折り皺が形成されていない部分を有する本考案の実施品を用いた。
吸収体３１は、クロッチ域１３の両側部において、仮想縦中心線Ｐ−Ｐに向かって凹部を形成するように、横方向Ｘの長さ寸法が小さくなっている。吸収体３１の縦方向Ｙの長さ寸法は、約３４０ｍｍとされ、凹部が形成されていない前後ウエスト域１１，１２における横方向Ｘの長さ寸法は、約１２０ｍｍとされている。
上記吸収体３１のガーレー剛性は、約０．０８〜０．２０Ｎ・ｃｍとしている。
【００１５】
吸液構造体３０と外面シート２７との間には、漏れ防止シート４０が取り付けられている。漏れ防止シート４０は、吸液構造体３０よりも面積が大きく、吸液構造体３０の縦方向Ｙおよび横方向Ｘからそれぞれ外側に向かって延出している。漏れ防止シート４０として、不透液性かつ透湿性のフィルム等を用いることができ、吸液構造体３０によって吸収された尿等の排泄物が漏れるのを防止している。
漏れ防止シート４０には、外面シート２７を透過して視認可能なインジケータ４１が形成されている（図１参照）。インジケータ４１は、例えば、液体の付着によって変色する３本のラインを漏れ防止シート４０の着衣側に塗布することによって形成することができ、少なくともクロッチ域１３において縦方向Ｙに延びている。
【００１６】
内外面シート２６，２７の間には、シャーシ前後端縁２１，２２に沿って前後ウエスト弾性体５１，５２が取り付けられている。より具体的には、前後ウエスト弾性体５１，５２は、内面シート２６と漏れ防止シート４０との少なくともいずれか一方に接合され、横方向Ｘに伸長状態で、収縮可能に取り付けられている。前後ウエスト弾性体５１，５２は、横方向Ｘにおける各両端部５１ａ，５２ａにおいて、縦方向Ｙの長さ寸法が仮想縦中心線Ｐ−Ｐにおけるそれよりも大きくされて、着用者のウエストに密着しやすいようにされている。具体的には、前後ウエスト弾性体５１，５２の仮想縦中心線Ｐ−Ｐにおける縦方向Ｙの長さ寸法は約１８ｍｍ、各両端部５１ａ，５２ａにおける縦方向Ｙの長さ寸法は約２０ｍｍであり、横方向Ｘの長さ寸法は約１４４ｍｍとしている。このような前後ウエスト弾性体５１，５２は、例えばオープンセルを有する発泡性ポリウレタンによって帯状に形成することができる。前後ウエスト弾性体５１，５２によってシャーシ前後端縁２１，２２が弾性化され、ウエスト開口からの尿等の漏れを防止している。
【００１７】
内外面シート２６，２７の間であって、少なくともクロッチ側縁２５に沿って、レッグ弾性体５３が取り付けられている。レッグ弾性体５３は、縦方向Ｙに延びるとともに、伸長状態で収縮可能に取り付けられ、内外面シート２６，２７の少なくともいずれか一方に接合されている。レッグ弾性体５３は、吸液構造体３０および漏れ防止シート４０には重ならないように、その横方向Ｘ外側に位置されている。レッグ弾性体５３は、例えば複数の弾性糸によって形成することができ、具体的には、３本の弾性糸をピッチ約４ｍｍで取り付け、その伸長倍率を約２．１倍としている。このようなレッグ弾性体５３によって、レッグ開口が弾性化され、レッグ開口からの尿等の漏れを防止している。複数のレッグ弾性体５３のうちその再内側のものは、漏れ防止シート４０の外側縁に近接し、かつ、沿って位置していることが漏れ防止シート４０の側縁に沿う物品部分を身体により確実に密着させる上で好ましい。
【００１８】
内面シート２６の身体側には、トップシート６０を接合している。トップシート６０は、液透過性の繊維不織布によって形成され、横方向Ｘの長さ寸法を約７５ｍｍ、縦方向Ｙの長さ寸法を約４１０ｍｍとしている。横方向Ｘにおいてはシャーシ２０よりも小さく、縦方向Ｙにおいてはシャーシ２０とほぼ等しい寸法にされている。
【００１９】
図６は、トップシート６０の横方向Ｘの断面を模式的に示した図である。図示したように、トップシート６０は、縦方向Ｙに延びる複数の凸条６１と、これら凸条６１の間に形成された凹条６２とを有する。このようなトップシート６０において、例えば、繊維ウェブの上部に配置されたノズルから連続的に気体を噴射することで、気体が噴射された部分で凹条６２が形成され、気体が直接噴射されなかった部分で凸条６１が形成される。
【００２０】
凸条６１の厚さ寸法ｔ１は約１．０〜３．０ｍｍ、この実施形態では約１．０〜１．５ｍｍである。凹条６２の厚さ寸法ｔ２は約０．４〜１．５ｍｍ、この実施形態では約０．５〜０．９ｍｍである。隣接する一方の凸条６１から他方の凸条６１までの長さ寸法であるピッチｔ３は、約３ｍｍ〜６ｍｍ、この実施形態では約４ｍｍである。ピッチｔ３は、一方の凸条６１の横方向Ｘにおける中央から、他方の凸条６１の横方向Ｘにおける中央までの長さ寸法である。
【００２１】
トップシート６０では、繊維ウェブの繊維の再配向により凸条６１に比べて凹条６２で密度を低くすることができる。凹条６２で密度が低くなることによって、この凹条６２を介して軟便が吸液構造体３０側に通過しやすくすることができる。また、噴射する気体の量を間欠的に多くすることによって、凹条６２に間欠的な透孔を形成することもできる。このような透孔が形成された場合には、粘性の高い軟便等の通過を促進することができる。
トップシート６０は、凹条６２に沿って折れ曲がりやすくなるが、このトップシート６０が前後ウエスト域１１，１２にまで延びていることによって、着用者のウエストに沿って折れ曲がり、身体にフィットしやすくなる。
【００２２】
トップシート６０と内面シート２６とは、ホットメルト接着剤等の接合手段によって互いに接合されるが、接合手段は、縦方向Ｙに延びるとともに、横方向Ｘに離間させて複数条形成することができる。これら接合手段の横方向Ｘの離間寸法は、凸条６１のピッチよりも大きくなるようにして、接合手段と凸条６１とが実質的に重ならないようにしている。尿などの体液は、凸条６１に接触し、内面シート２６を介して吸液構造体３０に吸収されるが、接合手段と凸条６１とが重なると、尿等の液体の移行を妨げる可能性があるからである。接合手段と凸条６１とが実質的に重ならないとは、そのすべてにおいて完全に重ならないことを意味するものではなく、その一部において重なっていてもよいことを意味する。
なお、トップシート６０と吸液構造体３０の間には、内面シート２６のほかにセカンドシートといわれるような他のシートを備えるようにしてもよい。
【００２３】
内面シート２６の身体側には、一対の漏れバリアカフ７０が取り付けられている。漏れバリアカフ７０は、横方向Ｘに離間するとともに、横方向Ｘに延びるカフ前後端縁７１，７２と、縦方向Ｙに延びるカフ内外側縁７３，７４とをそれぞれ含む。カフ前端縁７１からカフ後端縁７２までの縦方向Ｙの長さ寸法は、シャーシ前端縁２１からシャーシ後端縁２２までの同寸法とほぼ等しく、約４１０ｍｍである。
カフ内側縁７３の一部は、内面シート２６側に折り返されてスリーブ部７５を形成し、スリーブ部７５内に、縦方向Ｙに延びるカフ弾性体７６が収縮可能に取り付けられている。カフ弾性体７６は、複数条の弾性糸から形成され、具体的には二本の弾性糸をピッチ約６ｍｍで取り付けられている。カフ弾性体７６は、カフ前後端縁７１，７２から離間して、すなわち、一定の間隔をあけて伸長状態で収縮可能に取り付けられ、カフ内側縁７３は、少なくとも、クロッチ域１３において縦方向Ｙに弾性化されている。
【００２４】
漏れバリアカフ７０は、横方向Ｘに離間されているが、この離間寸法、すなわち、一方のカフ内側縁７３から他方のカフ内側縁７３までの距離は約７５ｍｍとされ、これら漏れバリアカフ７０の間にトップシート６０が位置するようにされている。
漏れバリアカフ７０は、カフ外側縁７４が外面シート２７の側縁とほぼ同じ形状を有し、第１接合部８１を介して、外面シート２７の両側縁に接合されている。カフ内側縁７３のカフ前後端縁７１，７２側の一部は、第２接合部８２を介して内面シート２６に接合されている。カフ前後端縁７１，７２が第３および第４接合部８３，８４を介して内面シート２６の前後端縁に接合されている。また、第２接合部８２は、カフ前後端縁７１，７２から仮想横中心線Ｑ−Ｑに向かって延びるとともに、その縦方向Ｙの長さ寸法を約５５ｍｍとされている。第２接合部８２の縦方向Ｙの延長線上にカフ弾性体７６が位置する関係とされているが、これら第２接合部８２とカフ弾性体７６とは、少なくともカフ弾性体７６の伸縮域においては重ならないようにされている。
【００２５】
上記のような漏れバリアカフ７０において、カフ弾性部材７６が収縮すると、カフ内側縁７３の第２接合部８２によって接合されていない部分が、内面シート２６から起立するように離間して、着用者の鼠蹊部近傍に密着し、尿等の排泄物がレッグ開口から漏れるのを防止している（図４参照）。
【００２６】
内外面シート２６，２７の間であって、シャーシ外側縁２４には、タブ部材９１が取り付けられている。タブ部材９１は、例えば繊維不織布等によって形成することができ、横方向Ｘに延びる一端９１ａが内外面シート２６，２７の間に接合され、他端９１ｂがシャーシ外側縁２４から延出している。他端９１ｂには、その身体側においてフック部材９２が取り付けられている。タブ部材９１は、図２に示したように、他端９１ｂを漏れバリアカフ７０の身体側に向かって折り返され、フック部材９２が漏れバリアカフ７０の身体側に対向するようにされている。折り返されたタブ部材９１と漏れバリアカフ７０とは、仮止め部８５によって仮止めされている。仮止め部８５は、加熱加圧処理によって点状に形成され、タブ部材９１、フック部材９２および漏れバリアカフ７０が重なる部分において縦方向Ｙに二列、フック部材９２よりも折返し状態において横方向Ｘ内側に位置するとともにタブ部材９１および漏れバリアカフ７０のみが重なる部分において一列、それぞれ形成されている。このように仮止め部８５を形成することによって、タブ部材９１およびフック部材９２を漏れバリアカフ７０に部分的に接合することとしている。この接合によって、おむつ１の製造時において、フック部材９２が妄りに他のシートに接合するのを防止することができる。
【００２７】
部分的に接合されたフック部材９２は、おむつ１の使用時においては、タブ部材９１を剥離するように引っ張るだけで、その接合が解けるようにされている。外面シート２７の着衣側には、フック部材９２に係合可能なループ部材９３が形成され、おむつ１の着用時には、これらフック部材９２とループ部材９３を係合させることによって、パンツ形状が維持される。なお、仮止め部８５の形成によって、フック部材９２の形状が一部熱溶融される可能性もあるが、ループ部材９３との係合が可能な範囲において許容される。
ループ部材９３は、外面シート２７の前ウエスト域１１において、横方向Ｘのほぼ全域に延び、フック部材９２を係合する位置を任意に決定できるようにして、着用者のウエスト寸法に適合できるようにしている。
【００２８】
上記のようなおむつ１において、トップシート６０には、複数の凸条６１と凹条６２とを形成することとしているので、トップシート６０は、凸条６１においてのみ着用者に接触する。その全面で接触する場合に比べて、トップシート６０の接触面積を減少させることができるので、トップシート６０による肌トラブルを低減することができる。また、凸条６１のみが着用者に接触することによって、凹条６２では縦方向Ｙに延びる通気路が形成され、この通気路を介しておむつ１内の湿気をおむつ１外へと放出することもできる。
【００２９】
おむつ１の着用時において、着用者の肌に接触するのは、漏れバリアカフ７０およびこれらの間に位置するシートである。したがって、漏れバリアカフ７０の横方向Ｘの間にのみ、トップシート６０を設けることによって、肌トラブルを低減するという効果を十分に発揮することができる。すなわち、漏れバリアカフ７０に重なる部分においては、トップシート６０を配置させる必要がない。凸条６１および凹条６２を形成したトップシート６０は、これらを形成しないシートに比べて高コストになりがちであるが、必要最小限の使用量によって、おむつ１全体のコストアップを抑えることができる。
また、トップシート６０に他のシートを接合しようとした場合には、凸条６１および凹条６２によって接合が弱くなってしまう可能性もあるが、トップシート６０と他のシートとを接合する必要性が減少し、他のシートとの接合を最小限にすることができる。
【００３０】
この実施形態において、トップシート６０の凸条６１および凹条６２を気体の噴射によって形成することとしているが、この製法のほかには、トップシート６０のウォータージェット処理やスチームジェット処理、プレス加工またはギア加工によって形成することもできる。また、凸条６１の厚さ寸法やピッチ、凹条６２の厚さ寸法等、この実施形態で示したものに限られるものではなく、適宜変更可能である。
【００３１】
また、吸収体３１の厚さを薄くすることができるので、おむつ１全体をその厚さ方向においてコンパクトにすることができ、着用感を向上させることができるとともに、配送コストを低減することもできる。
【００３２】
着用物品として、いわゆるオープン型のおむつを例に説明しているが、これに限られるものではなく、例えば、プルオン・パンツ型のおむつであってもよい。また、この実施形態において、例としてあげた各数値は、適宜変更可能であり、これら数値に限定されることはない。
【符号の説明】
【００３３】
１  おむつ（着用物品）
１１  前ウエスト域
１２  後ウエスト域
１３  クロッチ域
２０  シャーシ
２３  シャーシ前側縁
２４  シャーシ後側縁
２５  クロッチ側縁
２６  内面シート
２７  外面シート
３０  吸液構造体
３１  吸収体
３２  被覆シート
４０  漏れ防止シート
６０  トップシート
６１  凸条
６２  凹条
７０  漏れバリアカフ
７３  カフ内側縁
７４  カフ外側縁
８１  第１接合部
８２  第２接合部
Ｘ  横方向
Ｙ  縦方向
【図１】
0003153853.tif 000003
【図２】
0003153853.tif 000004
【図３】
0003153853.tif 000005
【図４】
0003153853.tif 000006
【図５】
0003153853.tif 000007
【図６】
0003153853.tif 000008
【手続補正書】
【提出日】平成21年7月17日(2009.7.17)
【手続補正１】
【補正対象書類名】明細書
【補正対象項目名】０００１
【補正方法】変更
【補正の内容】
【０００１】
この考案は、着用物品に関し、さらに詳しくは使い捨てのおむつ、排泄トレーニングパンツ、失禁ブリーフ等に関する。
【手続補正２】
【補正対象書類名】実用新案登録請求の範囲
【補正対象項目名】全文
【補正方法】変更
【補正の内容】
【実用新案登録請求の範囲】
【請求項１】
縦方向および横方向と、身体側およびその反対側と、前ウエスト域、後ウエスト域および前記前後ウエスト域間に位置するクロッチ域を有するシャーシと、少なくとも前記クロッチ域に位置する吸液構造体と、前記シャーシの前記身体側に位置しシャーシ両側縁の縦方向に延びる一対の漏れバリアカフとを含み、前記漏れバリアカフは、第１接合部を介して前記シャーシ両側縁に接合されるカフ外側縁と、前記縦方向に伸縮可能に弾性化され前記シャーシから離間可能なカフ内側縁とを含む着用物品において、
前記シャーシの身体側には、前記縦方向に延びる複数の凸条と、これら凸条の前記横方向間に形成される凹条とを有するトップシートが形成され、
前記カフ内側縁は、その前後端縁側を第２接合部を介して前記シャーシに接合されることを特徴とする前記着用物品。
【請求項２】
前記トップシートは、一対の前記漏れバリアカフの前記横方向間に位置する請求項１記載の着用物品。
【請求項３】
前記トップシートは、一方の前記カフ内側縁から他方の前記カフ内側縁までの前記横方向離間寸法と等しい前記横方向における長さ寸法を有する請求項１または２記載の着用物品。
【請求項４】
前記吸液構造体は、吸液性芯材を含む吸収体と、これを覆う被覆シートとを含み、厚さ寸法が２．０〜３．０ｍｍである請求項１〜３のいずれかに記載の着用物品。
【請求項５】
前記吸収体は、フラッフパルプを主原料とする上下層と、前記上下層の間に位置し高吸収性ポリマー粒子を主原料とする中間層とを含む請求項４記載の着用物品。
【請求項６】
前記シャーシは、前記身体側に位置する内面シートと、前記反対側に位置する外面シートとを含み、前記内外面シートの間に前記吸液構造体が形成されるとともに、前記吸液構造体と前記外面シートとの間に、漏れ防止シートが取り付けられる請求項１〜５のいずれかに記載の着用物品。